(57)【要約】      （修正有）【課題】誤って落下した際に、単電池の短絡を防止する組電池を提供する。【解決手段】絶縁用チューブで覆われた単電池を複数個互いに隣接させて集合し、これら隣接集合した単電池全体を絶縁用チューブで覆ってなる組電池において、組電池の端部に位置する電池の隣に位置する端部から２番目の単電池に、絶縁用チューブを２重以上に覆われている。【選択図】図１
0003176419.tif 000002
【実用新案登録請求の範囲】
【請求項１】
絶縁用チューブで覆われた単電池を複数個隣接集合し、集合した複数個の単電池群を絶縁用チューブで覆われて成る組電池において、集合した組電池の端部から２番目に位置する単電池のみが絶縁用チューブで多重に覆われていることを特徴とする組電池。
【考案の詳細な説明】
【技術分野】
【０００１】
本考案は、絶縁用チューブで覆った単電池を複数個隣接集合した組電池に関する。
【背景技術】
【０００２】
従来、例えば円筒型電池は、円筒缶内にセパレータで隔離した正負極板群を収納し、電解液を注液して突起を持つ蓋を円筒缶にかしめて封口し、円筒缶を負極端子に、突起を持つ蓋を正極端子にしている。なお、負極端子である円筒缶に正極端子である蓋をかしめる際に、絶縁体を介在させて円筒缶と蓋を互いに絶縁している。このような単電池を熱収縮性の絶縁用チューブで覆いその複数個隣接集合した組電池を、例えば図１に示す様に、１０個の単電池１をその円筒側面が互いに当接する様に横一列に並べ、その上当接して同様に１０個の単電池を横一列に並べ、計２０個の単電池からなる１列２段にした集合電池の全体を熱収縮性の絶縁用チューブで覆ってなる組電池を、誤って落下させた場合等に、組電池が故障する場合がある。
【０００３】
この問題を解決する為に、隣接集合したところで、その全周を粘着テープで一体的に固定することが提案されている。（特許文献１）
【先行技術文献】
【特許文献】
【０００４】
【特許文献１】特開平０７−２４９４００号公報
【考案の概要】
【考案が解決しようとする課題】
【０００５】
しかしながら、このように構成しても組電池の故障は無くならなかった。その原因を調査した結果、落下の仕方にもよるのだろうが、上記の様に複数個の電池を隣接集合した場合のその端部から２番目の単電池を覆っている絶縁用チューブが破れ短絡することが分かった。本発明はこの事実により短絡を防止し得る構造を考案しようとするものである。
【課題を解決するための手段】
【０００６】
上記目的を達成するために、本考案は、組電池の端部より２番目に位置する単電池のみを、これを覆う絶縁用チューブを多重掛けにすることを特徴とするものである。
【０００７】
このことにより、２番目の単電池の絶縁チューブの破れによる短絡を防止することができた。しかも、一部の単電池のみを多重掛けにしたので、全ての単電池を多重掛けした場合の様に手間も掛からず、しかも組電池としての外形寸法が大きく変化してしまい、所定の収納スペースに収まらないと言った事態も回避することが出来る。
【考案の効果】
【０００８】
本考案によれば、手間も掛からず簡単な構造で、落下等により組電池に衝撃が加わっても、短絡を防止することが出来る効果を奏するものである。
【図面の簡単な説明】
【０００９】
【図１】本考案の実施形態に係る組電池の説明斜視図である。
【考案を実施するための形態】
【００１０】
以下、図面を参照して本考案の実施形態について説明する。
【００１１】
図１は、本考案の実施形態を説明する為の斜視図である。１は単電池で、有底円筒缶内に巻回された正負極板が電解液と共に収納され、凸部を有する蓋が円筒缶の開口部に絶縁部材を介してかしめられて有底円筒缶を封口し、缶を負極端子、蓋を正極端子としている。単電池１は蓋と缶底を除く側面が缶底と蓋の周囲を含め収縮性の絶縁用チューブ２で覆われている。この構造は周知であり、従来と何ら変わるところは無い。
【００１２】
この様に構成された単電池１を図１の様に、その側面を互いに当接し蓋の位置が互いに反対向きと成るようにして横一列に１０個並べ、更にその上方に同様に互いに当接し蓋の位置が下方の単電池とは反対向きに成るようにして横一列に１０個並べ、１列１０個から成る１列２段に隣接集合し、これら隣接集合した単電池群全体を一点鎖線で示す熱収縮性の絶縁用チューブ３で覆い組電池を作製するものである。なお、単電池１は互いに金属片により直列接続され、接続されない端部に位置する一方の単電池の正極端子および他方の単電池の負極端子にリード線が接続されて該リード線を用いて負荷に接続する様にされるも図示を省略した。
【００１３】
ここまでの構成は、従来と変わりないが、本考案によれば、この組電池の端部から２番目に位置する単電池を、該単電池を覆う絶縁用チューブを２重掛けにした単電池で構成したものである。
【００１４】
単電池に絶縁用チューブを２重掛けするには、絶縁用チューブ内に単電池を挿入して熱を掛けてチューブを収縮させて単電池を覆った後、再び絶縁用チューブ内に挿入してチューブを収縮させることで単電池を２重に覆うことが出来る。この操作を繰り返すことで幾重にも絶縁用チューブで覆うことが出来るも、多重に掛けることでその外径が大きくなり組電池としても好ましくない場合もあり得るので注意が必要である。通常は２重掛けで十分である。
【実施例１】
【００１５】
直径約３３ｍｍ、高さ約６０ｍｍの型式Ｄ４．０の単電池２０個を用い、１６個の単電池１には厚さ０．１ｍｍの塩化ビニルからなる熱収縮性の絶縁用チューブを１重に掛け、残り４個の単電池１２には厚さ０．１ｍｍの塩化ビニルからなる熱収縮性の絶縁用チューブを２重に掛けた。絶縁用チューブはいずれも、単電池の側面全てを覆うようにし、その一部は缶底および蓋にも掛かるようにした。
【００１６】
これらの単電池１、１２を、図１示のようにそれぞれ端部から２番目に２重掛けした単電池１２を配置し、１列に１０個並べ２段重ねに隣接集合し、更にこれら隣接集合した単電池群全体を厚さ０．２ｍｍの塩化ビニルからなる熱収縮性の絶縁用チューブ３で覆い、組電池を完成した。図示しないが複数の単電池は直列に接続され、図１示の右端に位置する上下の単電池に負荷へ接続する為のリード線が接続される。
【００１７】
このように作製された組電池を落下試験に供した。落下試験は、７５０ｍｍの高さから１００ｍｍ厚の板の上に落下することで行った。
【００１８】
落下するに際しては、図１示の通りの水平状態でその下面および蓋と缶底が交互に現れる側面が板上に着地するように下面および側面を下方にして落下させたり、図示の組電池を縦長に９０度回転させ、端面が着地するように端面を下方にして落下させたりした。そして組電池の短絡の有無をリード線間の回路電圧を測定することで判断した。
【００１９】
その結果は表１の通りである。なお、従来品とは、２重掛けの単電池は１個も無く、全て１重掛けの単電池のみを用いて構成した従来の組電池で、単電池の大きさ、絶縁用チューブの厚さなどは実施例１のそれと同じにしたものである。
【００２０】
落下試験は、１０個の組電池について行った。表１中、１０個の組電池いずれにも短絡が発生しない場合は無、１個の組電池でも短絡が発生すれば有、と表示した。
【００２１】
【表１】
0003176419.tif 000003
【００２２】
表１から明らかな通り、実施例１のものは短絡もなく、優れている。一方、従来品は短絡が発生した。
【００２３】
以上の通り、本発明は、手間も掛からず簡単な構造により、落下による短絡を防止し得るものである。
【符号の説明】
【００２４】
１    単電池
１２  ２重掛けした単電池
２    絶縁用チューブ
３    集合した電池を覆う絶縁用チューブ
【図１】
0003176419.tif 000004